(57)【要約】【課題】凹凸用紙に対しても良好な転写性を有する画像形成装置及び中間転写部材を提供する。【解決手段】像担持体の表面に形成されたトナー画像を中間転写部材を介して被転写体に転写する画像形成装置及びそれに用いられる中間転写部材において、中間転写部材の表面が複数の切込部により分割されていることにより、凹凸用紙に対しても良好な転写を行うことができる。【選択図】図３
2007304567.tif 000002
【特許請求の範囲】
【請求項１】
トナー像が形成される像担持体と、前記像担持体の表面を帯電させる帯電手段と、前記像担持体の表面に静電潜像を形成する潜像形成手段と、前記静電潜像をトナーにより現像してトナー画像を形成する現像手段と、前記トナー画像を中間転写部材に一次転写する一次転写手段と、前記中間転写部材に転写されたトナー画像を被転写体に二次転写する二次転写手段と、を備え、
前記中間転写部材の表面が、複数の切込部により分割されていることを特徴とする画像形成装置。
【請求項２】
前記複数の切込部は、その切込ピッチが２００μｍ以下であることを特徴とする、請求項１に記載の画像形成装置。
【請求項３】
前記複数の切込部は、その切込深さが１０〜１００μｍの範囲であることを特徴とする、請求項１または２に記載の画像形成装置。
【請求項４】
前記切込ピッチに対する前記切込深さの比（「深さ／ピッチ」の値）が０．２５〜１．０の範囲であることを特徴とする、請求項１〜３のいずれか１項に記載の画像形成装置。
【請求項５】
前記中間転写部材が中間転写ベルトであり、前記像担持体の表面に沿って接触するよう配置されることを特徴とする、請求項１〜４のいずれか１項に記載の画像形成装置。
【請求項６】
前記二次転写手段が転写ロールを有し、前記中間転写ベルトが前記転写ロールの表面に沿って接触するよう配置されることを特徴とする、請求項５に記載の画像形成装置。
【請求項７】
前記中間転写ベルトの表面をクリーニングするクリーニング手段を備え、前記クリーニング手段は、クリーニング部材と前記クリーニング部材に対向する対向部材とを有し、前記中間転写ベルトが前記対向部材の表面に接触するよう配置されることを特徴とする、請求項５に記載の画像形成装置。
【請求項８】
前記クリーニング部材がクリーニングブラシであることを特徴とする、請求項７に記載の画像形成装置。
【請求項９】
前記中間転写ベルトの前記対向部材の表面における曲率が、前記転写ロールの表面における曲率よりも大きいことを特徴とする、請求項７に記載の画像形成装置。
【請求項１０】
前記中間転写部材の表面を被覆する被覆層を有することを特徴とする、請求項１〜９のいずれか１項に記載の画像形成装置。
【請求項１１】
前記被覆層の厚みが２μｍ〜１５μｍの範囲であることを特徴とする、請求項１０に記載の画像形成装置。
【請求項１２】
前記クリーニング部材がクリーニングブレードであり、
前記中間転写部材の表面を被覆する被覆層を有することを特徴とする、請求項７に記載の画像形成装置。
【請求項１３】
像担持体の表面に形成されたトナー画像を中間転写部材を介して被転写体に転写する画像形成装置に用いられ、表面が複数の切込部により分割されていることを特徴とする中間転写部材。
【請求項１４】
前記複数の切込部は、その切込ピッチが２００μｍ以下であることを特徴とする、請求項１３に記載の中間転写部材。
【請求項１５】
前記複数の切込部は、その切込深さが１０〜１００μｍの範囲であることを特徴とする、請求項１３または１４に記載の中間転写部材。
【請求項１６】
前記切込ピッチに対する前記切込深さの比（「深さ／ピッチ」の値）が０．２５〜１．０の範囲であることを特徴とする、請求項１３〜１５のいずれか１項に記載の中間転写部材。
【請求項１７】
前記中間転写部材の表面を被覆する被覆層を有することを特徴とする、請求項１３〜１６のいずれか１項に記載の中間転写部材。
【請求項１８】
前記被覆層の厚みが２μｍ〜１５μｍの範囲であることを特徴とする、請求項１７に記載の中間転写部材。
【発明の詳細な説明】
【技術分野】
【０００１】
本発明は、画像形成装置及び中間転写部材に関する。
【背景技術】
【０００２】
中間転写ベルト等の中間転写部材を用いてトナーを静電転写することでカラー画像を形成する画像形成装置が知られている。中間転写部材を用いて用紙に画像形成を行う場合、一般的にまず感光体等の像担持体から中間転写部材にイエロー、マゼンタ、シアン、ブラックトナーの四色を互いに重ね合わせた状態で転写（一次転写）した後、一括して用紙に多色画像を転写する（二次転写）。
【０００３】
このような画像形成装置において用いられる用紙としても様々な種類が求められ、表面が平滑なものから、エンボス紙と呼ばれる表面に凹凸が形成されたものまである。凹凸用紙では、凹部で用紙と中間転写部材表面との間に空隙が生じ、放電により中間転写部材表面に形成されたトナーが逆帯電し、転写不良となることがある。特に中間転写部材を用いたシステムでは、一次転写工程で先に転写されたトナーは次々に転写電界の作用と放電により帯電電荷量が高くなり、この高帯電トナーを転写するため二次転写工程では高電界を必要とすることも凹凸用紙での転写不良を加速している。
【０００４】
凹凸用紙で転写不良のない良好な転写を得るためには、凹部で用紙と中間転写部材表面との間に生じる空隙を極力なくすことが必要となる。例えば、特許文献１には所定のヤング率の弾性層を有するゴム材料からなる中間転写ベルトが記載され、特許文献２には多層構造で層の一つが低硬度材料からなる中間転写ベルトが記載されている。
【０００５】
【特許文献１】特開２００５−１９５６７９号公報
【特許文献２】特開２００４−１９１６５９号公報
【発明の開示】
【発明が解決しようとする課題】
【０００６】
しかしながら、特許文献１，２に記載の中間転写部材に用いられる弾性体でも凹凸用紙の凹部への追従性に限界があり、転写性が十分ではなかった。したがって、更なる凹部への中間転写部材の追従性が求められている。
【０００７】
本発明は、凹凸用紙に対しても良好な転写性を有する画像形成装置及びそれに用いられる中間転写部材である。
【課題を解決するための手段】
【０００８】
本発明は、トナー像が形成される像担持体と、前記像担持体の表面を帯電させる帯電手段と、前記像担持体の表面に静電潜像を形成する潜像形成手段と、前記静電潜像をトナーにより現像してトナー画像を形成する現像手段と、前記トナー画像を中間転写部材に一次転写する一次転写手段と、前記中間転写部材に転写されたトナー画像を被転写体に二次転写する二次転写手段と、を備え、前記中間転写部材の表面が、複数の切込部により分割されている画像形成装置である。
【０００９】
また、前記画像形成装置において、前記複数の切込部は、その切込ピッチが２００μｍ以下であることが好ましい。
【００１０】
また、前記画像形成装置において、前記複数の切込部は、その切込深さが１０〜１００μｍの範囲であることが好ましい。
【００１１】
また、前記画像形成装置において、前記切込ピッチに対する前記切込深さの比（「深さ／ピッチ」の値）が０．２５〜１．０の範囲であることが好ましい。
【００１２】
また、前記画像形成装置において、前記中間転写部材が中間転写ベルトであり、前記像担持体の表面に沿って接触するよう配置されることが好ましい。
【００１３】
また、前記画像形成装置において、前記二次転写手段が転写ロールを有し、前記中間転写ベルトが前記転写ロールの表面に沿って接触するよう配置されることが好ましい。
【００１４】
また、前記画像形成装置において、前記中間転写ベルトの表面をクリーニングするクリーニング手段を備え、前記クリーニング手段は、クリーニング部材と前記クリーニング部材に対向する対向部材とを有し、前記中間転写ベルトが前記対向部材の表面に接触するよう配置されることが好ましい。
【００１５】
また、前記画像形成装置において、前記クリーニング部材がクリーニングブラシであることが好ましい。
【００１６】
また、前記画像形成装置において、前記中間転写ベルトの前記対向部材の表面における曲率が、前記転写ロールの表面における曲率よりも大きいことが好ましい。
【００１７】
また、前記画像形成装置において、前記中間転写部材の表面を被覆する被覆層を有することが好ましい。
【００１８】
また、前記画像形成装置において、前記被覆層の厚みが２μｍ〜１５μｍの範囲であることが好ましい。
【００１９】
また、前記画像形成装置において、前記クリーニング部材がクリーニングブレードであり、前記中間転写部材の表面を被覆する被覆層を有することが好ましい。
【００２０】
また、本発明は、像担持体の表面に形成されたトナー画像を中間転写部材を介して被転写体に転写する画像形成装置に用いられ、表面が複数の切込部により分割されている中間転写部材である。
【００２１】
また、前記中間転写部材において、前記複数の切込部は、その切込ピッチが２００μｍ以下であることが好ましい。
【００２２】
また、前記中間転写部材において、前記複数の切込部は、その切込深さが１０〜１００μｍの範囲であることが好ましい。
【００２３】
また、前記中間転写部材において、前記切込ピッチに対する前記切込深さの比（「深さ／ピッチ」の値）が０．２５〜１．０の範囲であることが好ましい。
【００２４】
また、前記中間転写部材において、前記中間転写部材の表面を被覆する被覆層を有することが好ましい。
【００２５】
また、前記中間転写部材において、前記被覆層の厚みが２μｍ〜１５μｍの範囲であることが好ましい。
【発明の効果】
【００２６】
本発明では、像担持体の表面に形成されたトナー画像を中間転写部材を介して被転写体に転写する画像形成装置及びそれに用いられる中間転写部材において、中間転写部材の表面が複数の切込部により分割されていることにより、凹凸用紙に対しても良好な転写を行うことができる。
【発明を実施するための最良の形態】
【００２７】
本発明の実施の形態について以下説明する。
【００２８】
図１は本発明の実施形態に係る画像形成装置の一例である４サイクル方式のフルカラープリンタの画像形成部を示す概略構成図であり、図２は本発明の実施形態に係る画像形成装置である４サイクル方式のフルカラープリンタを示す全体概略構成図である。「４サイクル方式」のカラー画像形成装置では、単一の感光体ドラム上に順次形成されるイエロー、マゼンタ、シアン、黒等の各色のトナー画像を、中間転写部材上に互いに重ね合わせた状態で一次転写した後、当該中間転写部材上に多重に転写されたイエロー、マゼンタ、シアン、黒等のトナー画像を、二次転写ロールによって記録用紙上に二次転写することにより、カラー画像を形成するように構成されている。
【００２９】
なお、本実施形態において画像形成装置は、４サイクル方式のカラー画像形成装置に限らず、複数（例えば、４つ）の感光体上に形成されるイエロー、マゼンタ、シアン、黒等の互いに色が異なる各色のトナー画像を、中間転写部材上に互いに重ね合わせた状態で一次転写した後、当該中間転写部材上に多重に転写されたイエロー、マゼンタ、シアン、黒等のトナー画像を、二次転写ロールによって記録用紙上に二次転写することにより、カラー画像を形成するように構成した、「タンデム方式」のカラー画像形成装置等であってもよい。
【００３０】
図２に示す画像形成装置１は、静電潜像が形成される像担持体としての感光体ドラム２と、感光体ドラム２表面を帯電する帯電手段としての帯電ロール３と、感光体ドラム２を回転駆動する駆動手段（図示せず）と、感光体ドラム２の表面に静電潜像を形成する潜像形成手段としての露光装置４と、感光体ドラム２の表面に形成された静電潜像にトナーを付着させてトナー画像を形成する現像手段としての現像装置５と、感光体ドラム２によって従動駆動され、感光体ドラム２上に順次現像される各色のトナー画像が複数色重ね合わされて一次転写される中間転写部材としての中間転写ベルト６と、感光体ドラム２上に順次現像される各色のトナー画像を中間転写部材に一次転写する一次転写手段としての一次転写ロール７と、中間転写ベルト６上のトナー画像を一括して記録用紙（被転写体）９上に二次転写する二次転写手段としての二次転写ロール８と、中間転写ベルト６上の残トナーを除去するクリーニング手段としてのクリーニング装置１８と、を備える。
【００３１】
本実施形態に係る画像形成装置１の動作について説明する。図２において、画像形成装置１の内部には、中央よりもやや右上部に、像担持体としての感光体ドラム２が回転可能に配設されている。この感光体ドラム２は、図示しない駆動手段により、矢印方向に沿って回転駆動される。感光体ドラム２の表面は、図１に示すように、感光体ドラム２の略直下に配置された帯電手段としての帯電ロール３によって所定の電位に帯電された後、感光体ドラム２直下の離れた位置に配置された露光手段としての露光装置４であるＲＯＳ（Ｒａｓｔｅｒ ＯｕｔｐｕｔＳｃａｎｎｅｒ）によって、レーザービーム（ＬＢ）による画像露光が施され、画像情報に応じた静電潜像が形成される。感光体ドラム２上に形成された静電潜像は、イエロー（Ｙ）、マゼンタ（Ｍ）、シアン（Ｃ）、黒（Ｋ）の各色の現像器５Ｙ、５Ｍ、５Ｃ、５Ｋを周方向に沿って配置した回転式の現像装置５によって現像され、所定の色のトナー画像となる。
【００３２】
その際、感光体ドラム２の表面には、形成する画像の色に応じて、帯電、露光、現像の各工程が、所定回数だけ繰り返される。回転式の現像装置５は、所定のタイミングで回転駆動され、現像する色に対応した現像器５Ｙ、５Ｍ、５Ｃ、５Ｋが、感光体ドラム２と対向する現像位置に移動する。例えば、フルカラーの画像を形成する場合、感光体ドラム２の表面には、帯電、露光、現像の各工程が、イエロー（Ｙ）、マゼンタ（Ｍ）、シアン（Ｃ）、黒（Ｋ）の各色に対応して４回繰り返され、感光体ドラム２の表面には、イエロー（Ｙ）、マゼンタ（Ｍ）、シアン（Ｃ）、黒（Ｋ）の各色に対応したトナー画像が順次形成される。トナー画像が形成されるにあたって感光体ドラム２が回転する回数は、画像のサイズに応じて異なるが、例えば、Ａ４サイズであれば、感光体ドラム２が３回転することによって、１色の画像が形成される。つまり、感光体ドラム２の表面には、感光体ドラム２が３回転するごとに、イエロー（Ｙ）、マゼンタ（Ｍ）、シアン（Ｃ）、黒（Ｋ）の各色に対応したトナー画像が順次形成される。なお、感光体ドラム２上に順次形成されるトナー画像は、後述するように、一次転写位置を通過する際に、中間転写ベルト６上に互いに重ね合わされた状態で一次転写される。
【００３３】
感光体ドラム２上に順次形成されるイエロー（Ｙ）、マゼンタ（Ｍ）、シアン（Ｃ）、黒（Ｋ）の各色のトナー画像は、感光体ドラム２の外周に中間転写部材としての中間転写ベルト６が巻き付けられた一次転写位置において、中間転写ベルト６上に互いに重ね合わされた状態で、一次転写ロール７によって一次転写される。この中間転写ベルト６上に多重に転写されたイエロー（Ｙ）、マゼンタ（Ｍ）、シアン（Ｃ）、黒（Ｋ）のトナー画像は、二次転写ロール８によって、所定のタイミングで給紙される記録用紙９上に一括して二次転写される。二次転写ロール８は、中間転写ベルト６に従動するように構成しても良いが、図示しない駆動源からギアを介して回転駆動されるように構成しても良い。その際、二次転写ロール８は、中間転写ベルト６との間に移動速度の差が生じないように、二次転写ロール８の回転速度の方が速くなった場合に空回転するように、トルクリミッターを介して回転駆動するように構成するのが望ましい。
【００３４】
記録用紙９は、図２に示すように、画像形成装置１本体の下部に配置された給紙部１０から、ピックアップロール１１によって送り出されるとともに、フィードロール１２及びリタードロール１３によって１枚ずつ捌かれた状態で給紙され、レジストロール１４によって中間転写ベルト６上に転写されたトナー画像と同期した状態で、中間転写ベルト６の二次転写位置へと搬送される。また、二次転写ロール８は、所定のタイミングで中間転写ベルト６の表面に接離するように構成されている。この負荷ユニットとしての二次転写ロール８は、中間転写ベルト６の周上における距離が、感光体ドラム２の下流側に近い位置に配置されており、後述するように、当該負荷ユニットが中間転写ベルト６に当接するタイミングに呼応して、感光体ドラム２の駆動速度を低減もしくは増加するように構成されている。
【００３５】
中間転写ベルト６は、図１に示すように、複数のロールによって張架されており、所定のプロセススピードで循環移動するように、感光体ドラム２の回転に伴って従動されるように構成されている。この中間転写ベルト６は、感光体ドラム２における回動方向の上流側にて中間転写ベルト６のラップ位置を特定するラップインロール１５と、感光体ドラム２上に形成されたトナー画像を中間転写ベルト６上に転写する一次転写ロール７と、ラップ位置の下流側にて中間転写ベルト６のラップ位置を特定するラップアウトロール１６と、二次転写ロール８に中間転写ベルト６を介して当接するバックアップロール１７と、中間転写ベルト６のクリーニング装置１８に対向する第１のクリーニングバックアップロール１９と、第２のクリーニングバックアップロール２０とによって、所定の張力で張架されている。
【００３６】
また、中間転写ベルト６は、複数のロール７，１５，１６，１７，１９，２０によって張架されているが、本実施形態では、画像形成装置１本体の小型化を図るため、その張架される断面形状が、偏平な細長い略台形状となるように構成されている。
【００３７】
さらに、本実施形態では、図２に示すように、画像形成装置１の全体が可能な限り小型化されているが、画像形成装置１本体の大きなスペースを回転式の現像装置５が占めている。そのため、画像形成装置１本体は、装置の小型化を達成しつつ、中間転写ベルト６や回転式の現像装置５などのメンテナンス性を向上させるように設計されている。具体的に、中間転写ベルト６は、感光体ドラム２や帯電ロール３、二次転写ロール８を含めて、一体的に画像形成ユニット２１を構成しており、画像形成装置１本体の上部カバー２２を開くことによって、画像形成ユニット２１の全体が画像形成装置１本体に着脱自在となるように構成されている。また、中間転写ベルト６の上部には、当該中間転写ベルト６上に形成されたトナーのパッチ濃度を検出する反射型フォトセンサからなる濃度センサ２３が配設されている。
【００３８】
また、中間転写ベルト６のクリーニング装置１８は、図１に示すように、第１のクリーニングバックアップロール１９によって張架された中間転写ベルト６の表面に当接するように配置されたスクレーパ２４と、第２のクリーニングバックアップロール２０によって張架された中間転写ベルト６の表面に圧接するように配置されたクリーニングブラシ２５とを備えている。これらのスクレーパ２４やクリーニングブラシ２５によって除去された残留トナーや紙粉等は、クリーニング装置１８の内部に回収されるようになっている。なお、クリーニング装置１８は、揺動軸２６を中心にして、図中反時計周り方向に揺動可能に支持されており、中間転写ベルト６の表面から離間した位置に退避しているとともに、所定のタイミングで中間転写ベルト６の表面に当接するように構成されている。この負荷ユニットとしてのクリーニング装置１８は、中間転写ベルト６の周上における距離が、感光体ドラム２の上流側に近い位置に配置されており、後述するように、負荷ユニットが中間転写ベルト６に当接するタイミングに呼応して、感光体ドラム２の駆動速度を増加もしくは低減するように構成されている。なお、クリーニングブラシ２５の代わりにクリーニングブレード等を用いても良い。
【００３９】
二次転写ロール８とクリーニング装置１８は、中間転写ベルト６の表面に所定のタイミングで当接することによって、中間転写ベルト６に負荷を与える負荷ユニットとして作用するようになっている。そして、二次転写ロール８とクリーニング装置１８の一方又は双方は、中間転写ベルト６の表面に当接したり、離間することによって、中間転写ベルト６の負荷が変動する。
【００４０】
さらに、中間転写ベルト６からトナー画像が転写された記録用紙９は、図２に示すように、定着器２７へと搬送され、この定着器２７によって熱及び圧力でトナー画像が記録用紙９上に定着され、片面プリントの場合には、排出ロール２８によって画像形成装置１本体の上部に設けられた排出トレイ２９上にそのまま排出される。
【００４１】
一方、両面プリントの場合には、定着器２７によりトナー画像が定着された記録用紙９を、排出ロール２８によって排出トレイ２９上にそのまま排出せずに、排出ロール２８によって記録用紙９の後端部を挟持した状態で、当該排出ロール２８を逆転させるとともに、記録用紙９の搬送径路を両面用の用紙搬送路３０に切り替え、この両面用の用紙搬送路３０に配設された搬送ロール３１によって、記録用紙９の表裏を反転した状態で、再度、中間転写ベルト６の二次転写位置へ搬送して、記録用紙９の裏面に画像を形成するようになっている。
【００４２】
さらに、画像形成装置１には、図２に示すように、オプションによって、画像形成装置１本体の側面に手差しトレイ３２が開閉自在に装着可能となっている。この手差しトレイ３２上に載置された任意のサイズ及び種類の記録用紙９は、給紙ロール３３によって給紙され、搬送ロール３１及びレジストロール１４を介して、中間転写ベルト６の二次転写位置へ搬送されることにより、任意のサイズ及び種類の記録用紙９にも画像を形成することが可能となっている。
【００４３】
なお、トナー画像の転写工程が終了した後の感光体ドラム２の表面は、感光体ドラム２が１回転する毎に、感光体ドラム２の斜め下方に配置されたクリーニング装置３４のクリーニングブレード３５によって、残留トナーなどが除去され、次の画像形成工程に備えるようになっている。
【００４４】
ここで、本実施形態に係る画像形成装置１において用いられる中間転写部材である中間転写ベルト６の一例の断面構造を図３に示す。中間転写ベルト６は、弾性層５０及び表面層５２を有する。図３に示すように、中間転写ベルト６の表面は、複数の切込部５４により分割されている。すなわち、中間転写ベルト６の表面が、多数の独立した弾性体を集合させて略面を形成した構成となっている。
【００４５】
本発明者らは、中間転写部材を用いた画像形成装置において、様々な種類の記録用紙、特にエンボス紙と呼ばれる表面に凹凸が形成された記録用紙に対しても転写不良のない良好な転写を得るように、用紙凹部への中間転写部材の追従性を確保するため、追従性を悪くしている要因である中間転写部材の弾性体の面方向連続性を不連続化する方法を考案した。
【００４６】
すなわち、用紙の凸部により中間転写部材表面の位置が規制され、当該凸部に隣接する凹部と対向する中間転写部材は凸部により規制された位置に影響を受けることとなる。そこで、中間転写部材の表面を分割し、多数の独立した弾性体を集合させ略面を形成するように構成した。この分割によって、用紙の凹部と対向する中間転写部材は、用紙の凸部に対向する中間転写部材と無関係に用紙の凹部にまで入り込むことが可能となる。また、独立した弾性体間の隙間を広げることで、独立した弾性体があたかも倒れるように場所を変えることとなり、さらに凹部への追従性が高まる。これにより、エンボス紙と呼ばれる凹凸が形成された記録用紙に対しても転写不良のない良好な転写が得られる。
【００４７】
中間転写ベルト６の弾性層５０としては、クロロプレン、ウレアゴム、シリコンゴム等を含む伸縮性を有する弾性体のベルトを用いることができ、コスト等の点から好ましくはクロロプレンを用いることができる。また、弾性層５０のヤング率は１ＭＰａ〜７ＭＰａの範囲であることが好ましく、１．５ＭＰａ〜５ＭＰａの範囲であることがより好ましい。ヤング率が７ＭＰａを超えるとエンボス紙の凹部への追従性が悪くなる場合があり、１ＭＰａ未満であると色ずれが発生する場合がある。弾性層５０の厚みは通常、０．２ｍｍ〜０．７ｍｍの範囲である。
【００４８】
中間転写ベルト６の弾性層５０上にはトナー等の異物の付着を防止するために表面層５２が形成されている。表面層５２は、ウレタン、アクリル等の樹脂中にＰＴＦＥ等の離型剤を分散させて形成されるが、耐久性等の点からウレタン中にＰＴＦＥを分散させて形成されたものが好ましい。表面層５２の厚みは通常、２μｍ〜２０μｍの範囲である。
【００４９】
図３に示す中間転写ベルト６における切込部５４の切込深さｄは、表面層５２の表面から１０μｍ〜１００μｍの範囲であることが好ましく、３０μｍ〜８０μｍの範囲であることがより好ましい。切込深さｄが１０μｍ未満であると、エンボス紙の凹部への追従性が悪くなることがあり、１００μｍを超えると切込部５４の奥にまでトナー等の異物が入り込み、除去することが困難になることがある。
【００５０】
中間転写ベルト６における切込部５４の切込ピッチＬは、２００μｍ以下であることが好ましく、１７０μｍ以下であることがより好ましい。切込ピッチＬが２００μｍを超えると、転写むらが人間の視角で認識できるようになる場合がある。すなわち、空間周波数に対する人間の視覚関数値（ＶＴＦ）の相関図を図４に示すが、空間周波数を少なくとも５．９（ｃｙｃｌｅ／ｍｍ）以上（切込ピッチ換算１７０μｍ以下）にすると人間の視覚では認識できないものとすることができ、実際には切込ピッチ２００μｍでも実用上支障がない。切込ピッチを２００μｍ以下とすることにより、記録用紙の凹凸への追従性と共に、独立弾性体間隙で転写むらが発生しても人間の視角でほとんど認識されない。
【００５１】
また、切込部５４の切込ピッチＬに対する切込深さｄの比、ｄ／Ｌは、０．２５〜１の範囲であることが好ましく、０．３〜１の範囲であることがより好ましい。ｄ／Ｌが１を超えると耐久性に劣る場合があり、０．２５未満であるとエンボス紙の凹部への追従性が悪くなることがある。
【００５２】
なお図３において、切込部５４は中間転写ベルト６の表面に対してほぼ垂直方向に形成されているが、用紙の凹部への追従性の効果を損なわない限り、斜め方向に形成されていてもよい。
【００５３】
中間転写ベルト６の表面にこのような切込部５４を形成する方法は特に制限されず、例えば、フォトエッチング法により形成したプレス金型を中間転写ベルト６の表面に熱プレスして転写形成する方法、表面を研削する方法等が挙げられる。
【００５４】
また、中間転写ベルト６は、図５に示すように、ベース層５６、弾性層５８及び表面層６０の３層構造であってもよい。この場合も、中間転写ベルト６の表面は、複数の切込部５４により分割されている。
【００５５】
ベース層５６は、ポリイミド、ポリアミドイミド等を含んで形成され、引張弾性率等の点から好ましくはポリイミドを含んで形成される。その厚みは通常、５０μｍ〜１５０μｍの範囲である。
【００５６】
弾性層５８は、上記弾性体から構成され、その厚みは通常、０．０５ｍｍ〜０．７ｍｍの範囲である。表面層６０は、上記表面層５２と同様である。
【００５７】
なお、中間転写部材としては、ベルト状の中間転写部材である中間転写ベルトの他に、上記弾性体のロールを弾性層とする中間転写ロールを用いてもよいが、用紙の走行性、レイアウトの自由度等の点から中間転写ベルトであることが好ましい。
【００５８】
このような中間転写部材の表面の分割によって、記録用紙の凹部への追従性が高まるが、一方、表面の切込部５４の隙間にトナー等の異物が入り込むと、中間転写部材のクリーニングが難しくなる。この対応として、中間転写部材の表面が伸張され、隙間が開く方向に曲率をつけ、その部分でクリーニングを行うように構成することが好ましい。すなわち、中間転写部材の二次転写工程での曲率に比べ、クリーニング部での曲率を大きく取ることで、二次転写工程での隙間に入ったトナー等の異物による画像汚れを防止することができる。
【００５９】
本実施形態では、像担持体から中間転写部材への一次転写工程においては、中間転写部材が中間転写ベルトであり、中間転写ベルトが像担持体表面に沿って接触配置されることが好ましい。すなわち、図１の中間転写ベルト６を略平面から感光体ドラム２を包み込む方向の曲率を持たせて構成することが好ましい。これにより、独立した弾性体間に一次転写工程でトナー等の異物が入り込むことによる画像欠けを防止することができ、独立した弾性体の動きによる画像乱れがほとんど生じない。
【００６０】
また、中間転写部材が中間転写ベルトであり、中間転写部材から記録用紙への二次転写工程に転写ロールを用い、中間転写ベルトが転写ロール表面に沿って接触配置されることが好ましい。すなわち、図１の二次転写ロール８と中間転写ベルト６との接触開始位置において中間転写ベルト６の曲率が略平面から二次転写ロール８を包み込む方向の曲率を持たせて構成することが好ましい。このためには、図６に示すように、二次転写ロール８を、対向するバックアップロール１７から上流側に角度α＝３°〜２０°程度回転させた位置に当接するよう配置することが好ましい。これにより、独立した弾性体間に二次転写工程でトナー等の異物が入り込むことによる画像欠けを防止することができ、独立した弾性体の動きによるが画像乱れがほとんど生じない。
【００６１】
また、中間転写ベルト表面をクリーニングするクリーニング手段を備え、クリーニング手段が、クリーニング部材と当該クリーニング部材に対向する対向部材とを有し、中間転写ベルトが対向部材表面に接触配置されることが好ましい。すなわち、図１の中間転写ベルト６上の不要トナーをクリーニングするクリーニング装置１８において、クリーニングブラシ２５に対向する部分の中間転写ベルトに曲率を付ける第２のクリーニングバックアップロール２０を設けることが好ましい。これにより、クリーニング工程において、独立した弾性体間に入り込んだトナー等の異物までクリーニングすることが可能となり、繰り返し画像形成による安定性を確保することができる。また、クリーニング部材がクリーニングブラシであることが好ましい。クリーニングブラシによれば、中間転写ベルト表面を良好にクリーニングすることができる。
【００６２】
さらに、中間転写ベルトの対向部材における曲率が、転写ロールにおける曲率よりも大きいことが好ましい。すなわち、図１のクリーニング装置１８における第２のクリーニングバックアップロール２０による中間転写ベルト６の曲率が、記録用紙への二次転写工程における二次転写ロール８による中間転写ベルト６の曲率に比べて大きいことが好ましい。これにより、二次転写工程に比べてクリーニング工程において独立した弾性体間の間隙を大きくすることができ、繰り返し画像形成による安定性を確保することができる。
【００６３】
以上のような構成により、像担持体の表面に形成されたトナー画像を中間転写部材を介して被転写体に転写する画像形成装置及びそれに用いられる中間転写部材において、エンボス紙等の凹凸用紙に対しても良好な転写を行うことができ、画像欠陥や画像乱れを防止し、繰り返し画像形成による安定性を確保することができる。すなわち、従来は、中間転写部材に弾性体を使用しても、転写面が連続しているためエンボス紙などの凹凸の大きい記録用紙に対する追従性が悪く、画質欠陥が生じていたが、中間転写部材の転写面を複数に独立させて不連続とすることで、凹凸の大きい記録用紙に対する追従性を向上することができ、良好な画質が得られる。
【００６４】
また、中間転写ベルト６は、図７に示すように、表面が複数の切込部５４により分割された弾性層５０及び被覆層６２の２層構造であってもよい。すなわち、表面が複数の切込部５４により分割された弾性層５０の表面が被覆層６２により覆われている。本構成により、弾性層５０の表面が薄層の連続した（分割されていない）被覆層６２により覆われているため、長期に及ぶ使用でも切込部５４にトナー等の異物が入り込むことを防止し、トナーとの離型性を確保することができる。また、クリーニングブレード、クリーニングブラシ等を用いるクリーニング装置１８による中間転写ベルト６表面のクリーニングを良好に行うことができる。特に、クリーニングブレードを用いても、ブレードのエッジが切込部５４に当たってクリーニング不良を起こすことを防止することができる。
【００６５】
被覆層６２は、ウレタン、アクリル等の樹脂中にＰＴＦＥ等の離型剤を分散させて形成されるが、耐久性等の点からウレタン中にＰＴＦＥを分散させて形成されたものが好ましい。被覆層６２の厚みは、２μｍ〜１５μｍの範囲であることが好ましい。被覆層６２の厚みが２μｍ未満であると、均一な薄膜を維持することが困難となるため、トナー等の異物が入り込むことを十分に防止することができない場合があり、１５μｍを超えると用紙凹部への中間転写部材の追従性が低下する場合がある。また、被覆層６２は、表面が複数の切込部５４により分割された弾性層５０表面にウレタン系樹脂等を主成分とし、ポリテトラフルオロエチレン（ＰＴＦＥ）等を含む被覆層用組成物をスプレー塗布等の塗布方法により塗布し、乾燥、焼成することにより、所定の厚さで連続層として形成することができる。
【００６６】
感光体ドラム２は、少なくとも静電潜像（静電荷像）が形成される機能を有する。感光体ドラム２としては、電子写真感光体が好適に挙げられる。電子写真感光体は、円筒状の導電性の基体外周面に有機感光体等を含む塗膜を有する。塗膜は、円筒状基体上に、必要に応じて下引き層、電荷発生物質を含む電荷発生層と電荷輸送物質を含む電荷輸送層とを含む感光層、必要に応じて表面層（表面保護層）がこの順序で形成されたものである。電荷発生層と電荷輸送層の積層順序は逆であってもよい。これらは、電荷発生物質と電荷輸送物質とを別個の層（電荷発生層、電荷輸送層）に含有させて積層した積層型感光体であるが、電荷発生物質と電荷輸送物質との双方を同一の層に含む単層型感光体であってもよく、好ましくは積層型感光体である。また、下引き層と感光層との間に中間層を有していてもよい。また、有機感光体に限らずアモルファスシリコン感光膜等他の種類の感光層を使用してもよい。
【００６７】
帯電ロール３は、従来から使用されているものと同様に、感光体ドラム２の画像形成領域全体に対応させて長いものとして構成し、感光体ドラム２に対して帯電ロール３を両側の軸に配置したスプリング等の付勢手段（図示せず）を用いて、所定の押圧力で接触させ、感光体ドラム２の回転に追従させて、回転しながら感光体ドラム２の表面を帯電させるような動作を行う。帯電ロール３には、鉄やステンレス等の金属系材料で構成した軸部材の周囲に弾性体層を一体に所定の厚さで設けており、この弾性体はカーボン等を分散したＥＰＤＭゴム（エチレンプロピレンゴム）等の導電性の材料を用いることができる。
【００６８】
帯電後、感光体ドラム２表面に露光装置４により画像情報に応じた画像光（露光）が照射されると、照射された部分は電位が低下する。画像光は画像の黒／白等に応じた光量の分布であるため、画像光の照射によって感光体ドラム２表面に記録画像に対応する電位分布、すなわち静電潜像が形成される。
【００６９】
露光装置４としては、特に制限はなく、例えば、感光体ドラム２表面に、半導体レーザ光、ＬＥＤ光、液晶シャッタ光等の光源を、所望の像様に露光できるレーザ光学系、ＬＥＤアレイなどの光学系機器等が挙げられる。
【００７０】
現像装置５は、感光体ドラム２上に形成された静電潜像を静電荷像現像用トナーを含む一成分現像剤あるいは二成分現像剤により現像してトナー画像を形成する機能を有する。そのような現像装置としては、上述の機能を有している限り特に制限はなく、目的に応じて適宜選択することができ、トナー層が感光体ドラム２に接触する方式のものでも、接触しない方式のものでもよい。例えば、静電荷像現像用トナーを現像ロールを用いて感光体ドラムに付着させる機能を有する現像器、あるいはブラシ等を用いてトナーを感光体ドラムに付着させる機能を有する現像器等、公知の現像器等が挙げられる。現像剤担時体には、通常直流電圧が使用されるが、更に交流電圧を重畳させて使用してもよい。
【００７１】
定着手段としての定着器２７としては、記録用紙９に転写されたトナー画像を加熱、加圧あるいは加熱加圧により定着するものであれば特に制限はない。
【００７２】
クリーニング装置３４については、感光体ドラム２表面上の残留トナーを清掃するものであれば、ブレードクリーニング方式、ブラシクリーニング方式、ロールクリーニング方式を採用したもの等、適宜選定して差し支えない。これらの中でもクリーニングブレードを用いることが好ましい。また、クリーニングブレードの材質としてはウレタンゴム、ネオプレンゴム、シリコンゴム等が挙げられる。中でも、耐摩耗性に優れていることから、特にポリウレタン弾性体を用いることが好ましい。但し、転写効率の高いトナーを使用する場合にはクリーニング装置３４を使用しない態様もありえる。
【００７３】
トナー画像を転写する被転写体である記録用紙９としては、例えば、電子写真方式の複写機、プリンタ等に使用される普通紙、ＯＨＰシート等の他に表面に凹凸が形成されたエンボス紙（凹凸用紙）、普通紙の表面を樹脂等でコーティングしたコート紙、印刷用のアート紙等を使用することができる。本実施形態に係る画像形成装置においては、上記構成によりエンボス紙の凹部への追従性に優れるため、記録用紙９としてエンボス紙を使用しても、凹部で用紙と中間転写部材表面との間に空隙がほとんど生じることなく、放電により中間転写部材表面に形成されたトナーが逆帯電し、転写不良となることがない。特に中間転写部材を用いたシステムでは、一次転写工程で先に転写されたトナーは次々に転写電界の作用と放電により帯電電荷量が高くなり、この高帯電トナーを転写するため二次転写工程では高電界を必要とするが、本実施形態に係る画像形成装置においては、凹凸用紙での転写不良がほとんど起きない。
【００７４】
なお、本明細書において「エンボス紙」とは表面に凹凸をつけた特殊な紙、特に表面凹凸差が４０μｍ〜６０μｍ、厚さ１００μｍ〜２６０μｍの記録用紙である。このようなエンボス紙としては例えば、レザック等が挙げられ、富士ゼロックスオフィスサプライ社製の「レザック６６（１５１ｇ／ｍ２）」などとして入手することができる。また、「普通紙」とは通常、表面の凹凸差が１０μｍ程度のものをいう。
【実施例】
【００７５】
以下、実施例および比較例を挙げ、本発明をより具体的に詳細に説明するが、本発明は、以下の実施例に限定されるものではない。
【００７６】
図１，２に示す画像形成装置（富士ゼロックス製、ＤｏｃｕＰｒｉｎｔ  Ｃ５２５  Ａ）を使用して、各種記録用紙を使用して画像形成を行い、転写性、繰り返し画像形成による安定性を確認した。
【００７７】
（実施例１）
中間転写ベルト６として図３のような、弾性層５０のヤング率が３ＭＰａであるクロロプレンからなる０．５５ｍｍ厚の弾性ベルトであり、弾性層５０の表面に３μｍのフッ素系コート層（表面層５２）が形成された２層構造のものを用いた。また、中間転写ベルト６の表面から７０μｍの深さ（切込深さｄ）まで２００μｍ角（切込ピッチＬ）の格子状（角柱）の切込部５４を形成した（切込ピッチＬに対する切込深さｄの比、ｄ／Ｌ＝０．３５）。切込部５４はフォトエッチング法により形成したプレス金型を中間転写ベルト６表面に熱プレスして転写形成した。なお、弾性層５０のヤング率は引張試験装置（東洋精機製ストログラフＶＥ５Ｄ）を用いて常温（２２℃、５５％ＲＨ）の条件で測定した。また、中間転写ベルト６の切込深さｄ、切込ピッチＬは実態顕微鏡装置（ニコン製ＭＭ−６０型）を用いて表面と断面から測定した。
【００７８】
また本実施例では、図１に示すように、感光体ドラム２から中間転写ベルト６への一次転写手段として、感光体ドラム２を包み込む方向の曲率を持たせて中間転写ベルト６を構成した。これにより、中間転写ベルト６の独立弾性体の間隙が狭められ、不要なトナー等の異物の入り込みを防ぐ構成となっている。
【００７９】
中間転写ベルト６から記録用紙９へのトナー画像の二次転写手段としては、二次転写ロール８として、ウレタン発泡体をシャフトの周りに形成した転写ロールを用い、図６に示すように二次転写ロール８を、対向するバックアップロール１７から上流側に角度α＝１２°回転させた位置に当接するよう配置した。このことにより独立弾性体の間隙が狭まった状態で二次転写工程を行うことを可能とし、一次転写工程と同様に不要なトナー等の異物の入り込みを防ぐことができる構成となっている。
【００８０】
中間転写ベルト６のクリーニング装置１８としては、第１のクリーニングバックアップロール１９と、中間転写ベルト６の表面に当接するように配置されたスクレーパ２４と、第２のクリーニングバックアップロール２０と、中間転写ベルト６を介して対向するクリーニングブラシ２５とを備えた。クリーニングブラシ２５は、転写残トナーと逆極性にバイアスして回転駆動した。ここでは第２のクリーニングバックアップロール２０に中間転写ベルト６が沿っているため、独立弾性体間隙は広がる方向となる。このことにより、独立弾性体間隙に入り込んでしまったトナー等の異物も除去しやすくなる構成となっている。
【００８１】
以上の構成で、イエロー（Ｙ）、マゼンタ（Ｍ）、シアン（Ｃ）の３色を重ねた画像及びハーフトーン画像をプリントした結果を表１に示す。また、１００００枚連続してプリントした後のプリント結果を表２に示す。表２はプリントの維持性を確認した結果である。記録用紙は、エンボス紙として富士ゼロックスオフィスサプライ社の「レザック６６」（表面凹凸差８０μｍ、１５１ｇ／ｍ２）、普通紙として富士ゼロックスオフィスサプライ社の「Ｐ紙」（表面凹凸差１０μｍ、６４ｇ／ｍ２）、コート紙として富士ゼロックスオフィスサプライ社の「Ｊコート紙」（表面凹凸差２μｍ、９５ｇ／ｍ２）を使用した。転写性の評価基準は以下の通りとした。
○：濃度・均一性良好
△：均一性不良や混色がみられる
×：濃度・均一性悪
【００８２】
（実施例２）
一次転写工程において、中間転写ベルト６を感光体ドラム２を包み込む方向と逆の曲率を持たせて構成した以外は、実施例１と同様にして画像形成試験を行い、評価を行った。結果を表１及び表２に示す。
【００８３】
（実施例３）
二次転写工程において、バックアップロール１７直上に二次転写ロール８を配置して構成した以外は、実施例１と同様にして画像形成試験を行い、評価を行った。結果を表１及び表２に示す。
【００８４】
（実施例４）
クリーニング工程において、第２のクリーニングバックアップロール２０が無い部分でクリーニングブラシ２５によるクリーニングを行うように構成した以外は、実施例１と同様にして画像形成試験を行い、評価を行った。結果を表１及び表２に示す。
【００８５】
（実施例５）
中間転写ベルト６表面の切込部５４の切込ピッチＬを４００μｍとした（ｄ／Ｌ＝０．１７５）以外は、実施例１と同様にして画像形成試験を行い、評価を行った。結果を表１及び表２に示す。
【００８６】
（実施例６）
中間転写ベルト６表面の切込部５４の切込深さｄを１００μｍとした（ｄ／Ｌ＝０．５）以外は、実施例１と同様にして画像形成試験を行い、評価を行った。結果を表１及び表２に示す。
【００８７】
（実施例７）
中間転写ベルト６表面の切込部５４の切込深さｄを１０μｍとした（ｄ／Ｌ＝０．０５）以外は、実施例１と同様にして画像形成試験を行い、評価を行った。結果を表１及び表２に示す。
【００８８】
（実施例８）
中間転写ベルト６表面の切込部５４の切込深さｄを２５０μｍとした（ｄ／Ｌ＝１．２５）以外は、実施例１と同様にして画像形成試験を行い、評価を行った。結果を表１及び表２に示す。
【００８９】
（実施例９）
中間転写ベルト６表面の切込部５４の切込深さｄを５μｍとした（ｄ／Ｌ＝０．０２５）以外は、実施例１と同様にして画像形成試験を行い、評価を行った。結果を表１及び表２に示す。
【００９０】
（比較例１）
中間転写ベルト６の表面に切込部５４を形成しなかった以外は、実施例１と同様にして画像形成試験を行い、評価を行った。結果を表１及び表２に示す。
【００９１】
【表１】
2007304567.tif 000003
【００９２】
【表２】
2007304567.tif 000004
【００９３】
表１に示す通り、実施例１〜９では、今まで困難であったエンボス紙への転写が良好に行われることが示された。一方、比較例１では、エンボス紙への転写性に劣った。また、表２にある通り、一次転写工程での曲率を逆向きにした場合（実施例２）、二次転写工程でバックアップロール１７直上に二次転写ロール８を配置した場合（実施例３）、クリーニング工程を第２のクリーニングバックアップロール２０が無い部分で行った（独立弾性体間隙が狭まる）場合（実施例４）に比べ、実施例１では画像汚れがほとんどなく、長期にわたって良好な画質を維持することができた。
【００９４】
（実施例１０）
中間転写ベルト６として図７のような、弾性層５０のヤング率が３ＭＰａであるクロロプレンからなる０．５５ｍｍ厚の弾性ベルトであり、弾性層５０の表面に厚さ５μｍのウレタン系コート層（被覆層６２）が被覆層として形成された２層構造のものを用いた。弾性層５０の表面から７０μｍの深さ（切込深さｄ）まで２００μｍ角（切込ピッチＬ）の格子状（角柱）の切込部５４を形成した（切込ピッチＬに対する切込深さｄの比、ｄ／Ｌ＝０．３５）。切込部５４はフォトエッチング法により形成したプレス金型を弾性層５０表面に熱プレスして転写形成した。その後、弾性層５０表面にウレタン系樹脂を主成分とする被覆層用組成物をスプレー塗布し、６０℃で１０分乾燥、１７０℃で２０分焼成して、被覆層６２を厚さ５μｍで連続層として形成した。
【００９５】
この中間転写ベルトを用い、中間転写ベルトのクリーニング装置として、第２のクリーニングバックアップロール２０と中間転写ベルト６を介して対向するクリーニングブレード（ウレタン製）を備えた以外は、実施例１と同様にして、画像形成試験を行い、評価を行った。イエロー（Ｙ）、マゼンタ（Ｍ）、シアン（Ｃ）の３色を重ねた画像及びハーフトーン画像を実施例１と同じエンボス紙及び普通紙にプリントした結果、また、５００００枚連続してプリントした後のプリント結果を表３に示す。また、クリーニングブレードによるクリーニング性及び画像汚れについて、以下の基準で評価した。
【００９６】
＜クリーニング性＞
○：クリーニング不良の発生無し
×：クリーニング不良の発生あり
＜画像汚れ＞
○：プリント画像に汚れの発生無し
×：プリント画像に汚れの発生あり
【００９７】
【表３】
2007304567.tif 000005
【００９８】
このように、実施例１０のような連続層として被覆層を形成した中間転写ベルトを用いると、クリーニング装置としてクリーニングブレードを使用しても、クリーニングブレードのエッジが中間転写ベルト表面に引っかかることなく、良好に中間転写ベルト表面をクリーニングすることができた。また、５００００枚プリントした後においても、画像汚れが発生することがなかった。
【図面の簡単な説明】
【００９９】
【図１】本発明の実施形態に係る画像形成装置の一例である４サイクル方式のフルカラープリンタの画像形成部を示す概略構成図である。
【図２】本発明の実施形態に係る画像形成装置の一例である４サイクル方式のフルカラープリンタを示す全体概略構成図である。
【図３】本発明の実施形態に係る中間転写ベルトの一例の断面構造を示す図である。
【図４】空間周波数に対する人間の視覚関数値（ＶＴＦ）の相関を示す図である。
【図５】本発明の実施形態に係る中間転写ベルトの他の例の断面構造を示す図である。
【図６】本発明の実施形態に係る画像形成装置における二次転写ロールと、対向するバックアップロールとの位置関係を示す図である。
【図７】本発明の実施形態に係る中間転写ベルトの他の例の断面構造を示す図である。
【符号の説明】
【０１００】
１  画像形成装置、２  感光体ドラム、３  帯電ロール、４  露光装置、５  現像装置、５Ｙ，５Ｍ，５Ｃ，５Ｋ  現像器、６  中間転写ベルト、７  一次転写ロール、８  二次転写ロール、９  記録用紙（被転写体）、１０  給紙部、１１  ピックアップロール、１２  フィードロール、１３  リタードロール、１４  レジストロール、１５  ラップインロール、１６  ラップアウトロール、１７  バックアップロール、１８  クリーニング装置、１９  第１のクリーニングバックアップロール、２０  第２のクリーニングバックアップロール、２１  画像形成ユニット、２２  上部カバー、２３  濃度センサ、２４  スクレーパ、２５  クリーニングブラシ、２６  揺動軸、２７  定着器、２８  排出ロール、２９  排出トレイ、３０  用紙搬送路、３１  搬送ロール、３２  手差しトレイ、３３  給紙ロール、３４  クリーニング装置、３５  クリーニングブレード、５０，５８  弾性層、５２，６０  表面層、５４  切込部、５６  ベース層、６２  被覆層。
【図１】
2007304567.tif 000006
【図２】
2007304567.tif 000007
【図３】
2007304567.tif 000008
【図４】
2007304567.tif 000009
【図５】
2007304567.tif 000010
【図６】
2007304567.tif 000011
【図７】
2007304567.tif 000012